(57)【特許請求の範囲】
【請求項１】
一端に挿入口を開口し奥に向かって拡開するテーパ面からなる挿入穴を形成したケースと、上記挿入穴内においてその周方向に分割するとともに上記テーパ面に沿って軸方向に摺動可能に配置した係止爪と、該係止爪の内周面に刻設した係止歯と、上記係止爪を上記テーパ面の小径側に押圧する付勢部材とからなる接続体を一対設け、かつ該両接続体のいずれか一方の接続体のケースにおける挿入口と反対側の外周面に雄ねじを刻設し、他方の接続体内には挿入される被接続棒のストッパ部を遊嵌して設け、しかも、その他方の接続体のケースにおける挿入口と反対側に上記雄ねじが螺合する雌ねじを刻設したことを特徴とする接続具。
【請求項２】
一端に挿入口を開口し奥に向かって拡開するテーパ面からなる挿入穴を形成したケースと、上記挿入穴内においてその周方向に分割するとともに上記テーパ面に沿って軸方向に摺動可能に配置した係止爪と、該係止爪の内周面に刻設した係止歯と、上記係止爪を上記テーパ面の小径側に押圧する付勢部材とからなる接続体を一対設け、かつ該両接続体のいずれか一方の接続体のケースにおける挿入口と反対側の外周面に雄ねじを刻設し、他方の接続体内には挿入される被接続棒のストッパ部を設け、しかも、その他方の接続体のケースにおける挿入口と反対側に上記雄ねじが螺合する雌ねじを刻設し、上記両接続体のねじ相互を完全に締め付けることなく裕度をもって締めた状態で被接続棒を両接続体の挿入口から夫々挿入し、その後に両接続体の少なくとも一方を回転することを特徴とする接続方法。
【発明の詳細な説明】
【０００１】
【産業上の利用分野】
本発明は、異形鉄筋、螺棒等の棒材（以下被接続棒という）相互を接続する接続具及びこれを用いた接続方法に関する。
【０００２】
【従来の技術】
本出願人は先に、鋼棒の接続具として、外周にテーパ面を有し内周に係合歯を有するセグメントをケース内に軸方向へ摺動可能に、かつ周方向へ複数個に分割して収納した接続体を複数個連結し、該各接続体のセグメント間に接続する鋼棒を挿入することにより係止方向に付勢されたセグメントの係合歯が鋼棒に係止し、その鋼棒の外脱を阻止するようにしたものを提案した（実開平２−１０７６３２号公報）。
【０００３】
【発明が解決しようとする課題】
しかし上記従来の構造のものにおいては、両接続体を相互に固定的に連結して、各々のセグメントに被接続棒を挿入するため、その挿入後において接続体と被接続棒間において軸方向への若干のガタが生じるおそれがあった。
【０００４】
すなわち、図９に示すように、例えば異形鉄筋１００を奥壁１０１までいっぱいに挿入した場合に、その異形鉄筋１００のリブ１０２とセグメント１０３の歯面１０４とに隙間Ｄが生じた場合には、一方の建築物等の部材に固定の異形鉄筋１００と他方の部材に固定の接続具１０５に上記隙間Ｄ分だけガタつきが生じ、コンクリート部材の接合においては、そのコンクリートにひび割れが発生するおそれがあった。
【０００５】
そこで本発明は、上記の問題を解決する接続具及びその接続具を用いた接続方法を提供することを目的とするものである。
【０００６】
【課題を解決するための手段】
上記の課題を解決するために第１の発明は、一端に挿入口（４）（１８）を開口し奥に向かって拡開するテーパ面（５）（１９）からなる挿入穴（５ａ）（１９ａ）を形成したケース（２）（１５）と、上記挿入穴（５ａ）（１９ａ）内においてその周方向に分割するとともに上記テーパ面（５）（１９）に沿って軸方向に摺動可能に配置した係止爪（７）（２１）と、該係止爪（７）（２１）の内周面に刻設した係止歯（９）（２３）と、上記係止爪（７）（２１）を上記テーパ面（５）（１９）の小径側に押圧する付勢部材（１２）（２６）とからなる接続体（１）（１４）を一対設け、かつ該両接続体（１）（１４）のいずれか一方の接続体（１）のケース（２）における挿入口（４）と反対側の外周面に雄ねじ（３）を刻設し、他方の接続体（１４）内には挿入される被接続棒のストッパ部（２８）を遊嵌して設け、しかも、その他方の接続体（１４）のケース（１５）における挿入口（１８）と反対側に上記雄ねじ（３）が螺合する雌ねじ（１７）を刻設したことを特徴とする接続具である。
【０００７】
第２の発明は、上記第１の発明の接続具を用いて被接続棒を接続する方法で、一端に挿入口（４）（１８）を開口し奥に向かって拡開するテーパ面（５）（１９）からなる挿入穴（５ａ）（１９ａ）を形成したケース（２）（１５）と、上記挿入穴（５ａ）（１９ａ）内においてその周方向に分割するとともに上記テーパ面（５）（１９）に沿って軸方向に摺動可能に配置した係止爪（７）（２１）と、該係止爪（７）（２１）の内周面に刻設した係止歯（９）（２３）と、上記係止爪（７）（２１）を上記テーパ面（５）（１９）の小径側に押圧する付勢部材（１２）（２６）とからなる接続体（１）（１４）を一対設け、かつ両接続体（１）（１４）のいずれか一方の接続体（１）のケース（２）における挿入口（４）と反対側の外周面に雄ねじ（３）を刻設し、他方の接続体（１４）内には挿入される被接続棒のストッパ部（２８）を設け、しかも、その他方の接続体（１４）のケース（１５）における挿入口（１８）と反対側に上記雄ねじ（３）が螺合する雌ねじ（１７）を刻設し、上記両接続体（１）（１４）のねじ（３）（１７）相互を完全に締め付けることなく裕度をもって締めた状態で被接続棒（３１）（３２）を両接続体（１）（１４）の挿入口（４）（１８）から夫々挿入し、その後に両接続体（１）（１４）の少なくとも一方を回転することを特徴とする接続方法である。
【０００８】
上記の発明において接続する場合には、先ず一方の接続体（１）の雄ねじ（３）を他方の接続体（１４）の雌ねじ（１７）に螺合して両接続具（１）（１４）を連結する。このとき、両ねじ（３）（１７）は完全に締めることなく、図５において隙間（Ｄ）で示すように裕度をもって締める。
【０００９】
次で、一方の接続具（１）の挿入口（４）から一方の被接続棒（３１）をストッパ（２８）に当たるまで挿入し、他方の接続具（１４）の挿入口（１８）から他方の被接続棒（３２）をストッパ（２８）に当たるまで挿入する。すると、各係止爪（７）（２１）は被接続棒（３１）（３２）に押圧されてテーパ面（５）（１９）の大径側である奥部へ移動し、各係止爪（７）（２１）で構成される係止歯（９）（２３）の内径が拡大し、被接続棒（３１）（３２）が奥まで挿入できる。そして、この挿入後は付勢部材（１２）（２６）の付勢荷重によって係止爪（７）（２１）が押し戻され、その係止歯（９）（２３）が被接続棒（３１）（３２）の外周面に係止し、被接続棒（３１）（３２）の外脱が阻止される。
【００１０】
このとき、例えば、被接続棒（３１）（３２）が異形鉄筋の場合には、そのリブ（３１ａ）（３２ａ）の側面に必ずしも位置せず、その被接続棒（３１）（３２）が軸方向にガタつくおそれがある。
【００１１】
そこで、上記被接続棒（３１）（３２）の挿入後に、両接続体（１）（１４）の少なくとも一方をねじ（３）（１７）の締め付け方向へ回転する。
これにより、上記のガタつき分係止歯（９）（２３）が移動して、例えば上記のリブ（３１ａ）（３２ａ）に喰い付いて、上記のガタつきを確実に阻止する。
【００１２】
【発明の実施の形態】
図１乃至図７に示す実施例に基づいて本発明の実施の形態について説明する。
１は一方の接続体で、両端が開口した穴を有する円筒状の一方のケース２を有する。該ケース２の一方の側（被接続棒の挿入側と反対の側）の端部外周には雄ねじ３が刻設されている。該雄ねじ３と反対側の他方の体内には、被接続棒を挿入する挿入穴４が軸方向に形成されている。更にケース２内には、上記挿入穴４の内方側から上記雄ねじ３の側に向かって拡開する円錐台形状のテーパ面５からなる挿入穴５ａが軸方向に形成されている。更に、該穴５ａの奥部側端から一方の端に向かって、テーパ面５の奥端径と同径の穴からなる室６が軸方向に形成され、その外端が開口されている。
【００１３】
７は第１の係止爪で、その外周面が上記テーパ面５に沿うテーパ面８に形成され、内面は上記ケース２の軸線に平行する面において係止歯９が軸方向に形成されている。また、該係止爪７は、図３に示すように周方向に３個に分割され、これら３個の係止爪７が周方向に合致した状態で、図４に示すように、その各係止爪７の先端（図の左端）が上記テーパ面５の最小径端（左端）に位置して挿入穴５ａに収納するようになっている。更に該係止爪７の軸方向の長さは、上記の収納状態において、その奥端（右端）がテーパ面５の軸方向長より短くなるように設定されている。そして、各係止爪７はそのテーパ面９をケース２のテーパ面５に摺動可能にして収納され、各係止爪７がテーパ面５に沿って奥側（室６側）へ移動することにより、夫々径方向に分離して、各係止爪７で形成される係止歯９の直径が拡径するようになっている。
【００１４】
上記各係止歯９の軸方向の断面形状は、図に示すように、奥側（室６側）方向が縮径するテーパ面を有するのこぎり歯状に形成され、該係止歯９は各係止爪の全周に亘って形成されている。
【００１５】
１０はワッシャからなる押さえ金で、上記各係止爪７の奥端面に接触しているとともに、ケース２の軸方向へ移動可能に備えられている。
１１はＣ型止め輪からなる止め金で、付勢部材であるバネ、より詳しくはコイルスプリング１２を上記室６内へ圧縮収納した後に、ケース２の一方部に形成した溝１３に嵌合して備えられている。これにより、各係止爪７は付勢部材１２により、テーパ面５の小径側へ常時付勢されている。
【００１６】
上記押さえ金１０及び止め金１１は共にその中央部に貫通穴１０ａ，１１ａを有し、この貫通穴１０ａ，１１ａに被接続棒が貫通するようになっている。
１４は他方の接続体で両端が開口した穴を有する円筒状の他方のケース１５を有する。該ケース１５の他方の端部内には接続穴１６が形成され、該穴１６の内周には、上記一方の接続体２に刻設した雄ねじ３が螺合する雌ねじ１７が刻設されている。該雌ねじ１７と反対側の他方の体内には、被接続棒を挿入する挿入口１８が軸方向に形成されている。更にケース１５内には、上記挿入口１８の内方側から上記接続穴１６側に向かって拡開する円錐台形状のテーパ面１９からなる挿入穴１９ａが軸方向に形成されている。更に、該穴１９ａの奥部側端から上記接続穴１６に向かって、テーパ面１９の奥端径と同径の穴からなる室２０が軸方向に形成され、上記接続穴１６に開口連通している。
【００１７】
２１は第２の係止爪で、その外周面が上記テーパ面１９に沿うテーパ面２２に形成され、内面は上記ケース１５の軸線に平行する面において係止歯２３が軸方向に形成されている。また、該第２の係止爪２１は上記第１の係止爪７と同様に周方向に３個に分割され、これら３個の係止爪２１が周方向に合致した状態で、図４に示すように、その各係止爪２１の先端（図の右側）が上記テーパ面１９の最小径端（左側）に位置して挿入穴１９ａに収納するようになっている。更に該係止爪２１の軸方向の長さは、上記の収納状態において、その奥部（左端）がテーパ面１９の軸方向長より短くなるように設定されている。そして、各係止爪２１はそのテーパ面２２をケース１５のテーパ面１９に摺動可能にして収納され、各係止爪２１がテーパ面１９に沿って奥側（室２０側）へ移動することにより、夫々径方向に分離して、各係止爪２１で形成される係止歯２３の直径が拡径するようになっている。
【００１８】
上記各係止歯２３の軸方向の断面形状は、図に示すように、奥側（室２０側）方向が縮径するテーパ面を有するのこぎり歯状に形成され、該係止歯２３は各係止爪２１の全周に亘って形成されている。
【００１９】
２４はワッシャからなる押さえ金で、上記各係止爪２１の奥端面に接触しているとともに、ケース１５の軸方向に移動可能に備えられている。
２５はＣ型止め輪からなる止め輪で、付勢部材であるバネ、より詳しくはコイルスプリング２６を上記室２０内へ圧縮収納した後に、室２０の周壁に形成した溝２７に嵌合して備えられている。これにより、各係止爪２１は付勢部材１２により、テーパ面１９の小径側へ常時付勢されている。
【００２０】
上記押さえ金２４及び止め輪２５は共にその中央部に貫通穴２４ａ，２５ａを有し、この貫通穴２４ａ，２５ａに被接続棒が貫通するようになっている。
２８は円盤状のストッパで、上記接続穴１６の奥部に遊嵌されている。
【００２１】
尚、上記一方の接続体１のケース２と他方の接続体１４のケース１５の夫々の外周面には切欠面２９，３０が形成され、これに治具を係止して両ケース２，１５を回転できるようになっている。また、上記各部材は金属で形成されている。
【００２２】
次に接続方法について説明する。
図４に示すように、被接続棒が挿入されていない状態では、第１の係止爪７は付勢部材であるコイルスプリング１２の付勢力により、また第２の係止爪２１は付勢部材であるコイルスプリング２６の付勢力により各テーパ面５，１９の小径側へ押圧され、図４の状態にある。またこのときの各係止爪７，２１で形成される係止歯９，２３の山部の内径は、接続される被接続棒、例えば図６，７に示す異形鉄筋３１，３２のリブ３１ａ，３２ａに係合する径になっている。
【００２３】
そして、図５に示すように、一方の接続体１の雄ねじ３を他方の接続体１４の雌ねじ１７に螺合して両接続体１，１４を連結する。この連結は、図５に示すように、両ねじを完全に締めることなく、一方の接続体１におけるケース２のねじ込み側先端面２ａと他方の接続体１５における穴１６の奥壁面１５ａ、詳しくはストッパ２８の前面との間に空隙Ｄが生じるように締める。
【００２４】
次に上記の連結状態において、図６に示すように、一方の接続体１の挿入穴４から一方の被接続棒である異形鉄筋３１を、その挿入先端３１ｂがストッパ２８に当たるまで挿入する。この異形鉄筋３１の挿入時には、そのリブ３１ａが係止爪７の係止歯９に当り、その係止爪７がコイルスプリング１２の付勢力に抗して図６の右方、すなわちテーパ面５の大径側へ押し移動される。この移動により各係止爪７は半径方向へ押し開かれ、各係止爪７で形成される係止歯９の山の内直径が異形鉄筋３１のリブ３１ａの外径より大きくなり、異形鉄筋３１が挿入される。そして、異形鉄筋３１の挿入後は、コイルスプリング１２の付勢力により各係止爪７が図６の左方へ押圧されて縮径し、その各係止歯９が異形鉄筋３１の表面やリブ３１ａの側面部に係止する。
【００２５】
この状態では、異形鉄筋３１のリブ３１ａと係止歯９とは、完全に合致係合することは少なく、前記図８に示す隙間Ｄと同様の隙間が生じ、接続体１と異形鉄筋３１とは、軸方向に若干のガタつきが生じることがある。
【００２６】
次に上記図６の状態で他方の接続体１５の挿入穴１８を他方の被接続棒である異形鉄筋３２の先端に対向させて、一方の異形鉄筋３１とともに両接続体１，１５を他方の異形鉄筋３２側へ押し付ける。これにより、図７に示すように他方の異形鉄筋３２が挿入穴１８から挿入し、その先端面３２ｂがストッパ２８に当たって、その挿入が停止する。この挿入時には、そのリブ３２ａが係止爪２１の係止歯２３に当り、その係止爪２１がコイルスプリング２６の付勢力に抗して図７の左方、すなわちテーパ面１９の大径側へ押し移動される。この移動により各係止爪２１は半径方向へ押し開かれ、各係止爪２１で形成される係止歯２３の山の内直径が異形鉄筋３２のリブ３２ａの外径より大きくなり、異形鉄筋３２が挿入される。そして、異形鉄筋３２の挿入後は、コイルスプリング２６の付勢力により各係止爪２１が図７の右方へ押圧されて縮径し、その各係止歯２３が異形鉄筋３２の表面やリブ３２ａの側面部に係止する。
【００２７】
この状態では、異形鉄筋３２のリブ３２ａと係止歯２３とは、完全に合致係合することは少なく、前記図９に示す隙間Ｄと同様の隙間が生じ、接続体１４と異形鉄筋３２とは、軸方向に若干のガタつきが生じることがある。
【００２８】
次に以上の作業において、上記のように一方の接続体１と一方の異形鉄筋３１間及び他方の接続体１４と他方の異形鉄筋３２間に生じたガタつきをなくす作業を行う。
【００２９】
この作業は、一方の接続体１又は他方の接続体１４のいずれか一方を夫々に形成した切欠面２９又は３０に治具を係止して両ねじ３，１７の締め付け方向に回転する。この回転により、両接続体１，１４は相互に引き寄せられ、一方の接続体１における係止爪７の係止歯９が上記のガタつき分図７において右方へ移動し、また他方の接続体１４における係止爪２１の係止歯２３が上記のガタつき分図７の左方へ移動し、両係止歯９，２３が両異形鉄筋３１，３２のリブ３１ａ，３２ａに喰い付き、上記のガタつきがなくなる。
【００３０】
尚、本発明の接続具の使用としては、単なる異形鉄筋相互の接続や、図８に示すように異形鉄筋３１を突設した一方の部材Ａに対し、異形鉄筋３２を突設した他方の部材Ｂを、その異形鉄筋を介して接続する場合等に使用できる。
【００３１】
更に上記の部材Ａ，Ｂとしては、例えば建築や土木で使用されるユニットやセグメント等の構成部品が考えられるが、本発明はその他の接続すべき種々な部品の接続に適用できる。上記の部材Ａ，Ｂが例えばコンクリート部材である場合は、図８で示すその接続体１，１４の外周作業空間部Ｃにコンクリート等の充てん材を充てんする。
【００３２】
更に、上記被接続棒３１，３２は、図の実施例においては異形鉄筋としたが、その他、上記両係止爪７，２１が係止する部分にねじやローレットを形成した棒、更には表面が阻面な通常の丸鉄筋等でもよい。
【００３３】
【発明の効果】
以上のようであるから本発明によれは、両被接続棒を接続体に挿入するのみで容易に接合できるは勿論、特に接続体と被接続棒との間における軸方向のガタつきを確実に阻止できる。したがって、例えばコンクリート部材を接合する場合に、その接続体の外周をコンクリートで被覆した場合、ガタつきによるそのコンクリートのクラックの発生を防止でき、接続具や被接続棒が発錆することを防止できる。
【００３４】
更に、上記２本の被接続棒のガタつきをなくす作業が両接続体のうちの一方のみを回転するのみで同時に行え、その作業が極めて簡単で能率的に行え、狭い接続空間での作業には特に有効である。
【００３５】
更に、両接続体を中間部材を介して連結するものに比べて部品点数が少なく、製品コストを低減できるとともに、その連結作業も容易である。
【図面の簡単な説明】
【図１】本発明の接続具の実施例を示す側面図。
【図２】図１において左側から見た端面図。
【図３】分割された３個の係止爪を示す端面図。
【図４】本発明の接続具における接続体の分離状態を示す側断面図。
【図５】図４の両接続体を連結した側断面図。
【図６】図５の状態において一方の被接続棒を挿入した側断面図。
【図７】図６の状態から更に他方の被接続棒を挿入した側断面図。
【図８】本発明の接続具の使用状態の１例を示す略平面図。
【図９】従来構造におけるガタつき状態を示す要部断面図。
【符号の説明】
１，１４…接続体                  ２，１５…ケース
３，１７…ねじ                    ４，１８…挿入口
５，１９…テーパ面                ５ａ，１９ａ…挿入穴
７，２１…係止爪                  ９，２３…係止歯
１２，２６…付勢部材              ２８…ストッパ
３１，３２…被接続棒
【図１】
0003794757.tif 000002
【図２】
0003794757.tif 000003
【図３】
0003794757.tif 000004
【図４】
0003794757.tif 000005
【図５】
0003794757.tif 000006
【図６】
0003794757.tif 000007
【図７】
0003794757.tif 000008
【図８】
0003794757.tif 000009
【図９】
0003794757.tif 000010